(57)【要約】【課題】  再利用が可能で、少量運送サービス用に適し、衝撃を受けた回数を検知できる衝撃記憶表示センサを提供すること。【解決手段】  リードスイッチの周囲に所定の加重によって弾性変形する弾性渦巻体と磁石とを配置し、その弾性渦巻体の所定の加重と磁石の自重との組み合わせにより検知する外部衝撃の大きさを設定し、Ｘ，Ｙ，Ｚ軸の少なくとも一軸方向の外部衝撃によりリードスイッチを作動させて外部衝撃を検知する衝撃検知部２３を有し、検知された外部衝撃を記憶し表示する衝撃記憶表示センサ１９であり、外部衝撃の回数を記憶及び表示すると共に衝撃記憶情報を取り出す衝撃記憶表示手段を有し、かつ衝撃記憶表示手段はリセット機能を持つ。また、ＬＥＤ２５の点灯及び消灯により衝撃回数を視認可能とし、衝撃記憶情報は衝撃情報出力端子２１から取り出す。【選択図】図２
2007198770.tif 000002
【特許請求の範囲】
【請求項１】
筐体又は枠体に固定されたリードスイッチの周囲に所定の加重によって弾性変形する弾性渦巻体と磁石とを配置し、前記弾性渦巻体の所定の加重と前記磁石の自重との組み合わせにより検知する外部衝撃の大きさを設定し、Ｘ，Ｙ，Ｚ軸の少なくとも一軸方向の外部衝撃によりリードスイッチを作動させて外部衝撃を検知し記憶して表示する衝撃記憶表示センサにおいて、前記外部衝撃の回数を記憶及び表示すると共に記憶された外部衝撃の回数を取り出す衝撃記憶表示手段を有し、かつ前記衝撃記憶表示手段はリセット機能を持つことを特徴とする衝撃記憶表示センサ。
【請求項２】
前記衝撃記憶表示手段はＬＥＤの点灯及び消灯により衝撃回数を視認可能としたことを特徴とする請求項１記載の衝撃表示センサ。
【請求項３】
前記衝撃記憶表示手段の電源として電池を用いたことを特徴とする請求項１又は２記載の衝撃記憶表示センサ。
【発明の詳細な説明】
【技術分野】
【０００１】
本発明は、荷物の運送中などの衝撃を検知し衝撃記憶表示の機能を有するリサイクル（繰り返し使用）可能な衝撃記憶表示センサに関するものである。
【背景技術】
【０００２】
従来、精密機器、割れ物等の輸送中において、大きな衝撃が加わると、輸送品に外から分からない破損が生ずることがあり、破損原因が不明であると依頼主と請負人の間でトラブルが発生することがある。したがって、破損原因が輸送中の予期しない大きさの衝撃によるものであることを立証するための手段が望まれ提案されている。
【０００３】
図面を参照して従来の技術例を説明する。図５は特許文献１に開示された従来例１の衝撃振動表示器の輸送箱への取り付け状態を表した斜視図、図６は従来例１に係る衝撃振動表示器の概略図である。
【０００４】
まず、図５を参照して従来例１の衝撃振動表示器について説明する。この例では、輸送箱５５の内部に衝撃振動表示器５３を取り付け、視認窓から衝撃振動表示器５３の様子を確認できるように輸送梱包箱５１が作製される。その衝撃振動表示器の一例について図６を参照し説明する。定める大きさの外圧により破壊されるカプセル状振動子１１に拡散体９が封入されており、定めた以上の外圧によりカプセル状振動子１１が破壊され拡散体９が表示部１３内に拡散した様子が、外部から視認できる構造の衝撃振動表示器５３である。
【０００５】
さらに特許文献２で開示された例は、特許文献１と同様に専用輸送箱外部から衝撃の有無を視認することができる衝撃記録計内蔵輸送箱である。
【０００６】
特許文献３で開示された例は、定荷重弾性体とスイッチを組み合わせ衝撃を感知した状態を保持することができる移動体用衝撃センサである。
【０００７】
【特許文献１】特開平１１−２３７３９８号公報
【特許文献２】特開平１１−１６０３４１号公報
【特許文献３】特開平７−２９４５５０号公報
【発明の開示】
【発明が解決しようとする課題】
【０００８】
ところで、従来例１は、カプセル状振動子が破壊され拡散体が一度拡散されると再利用できないという問題点がある。
【０００９】
従来例２は、輸送箱一体型であり、繰り返しその輸送箱を用いて大量輸送を要する企業向けとしては有効であるが、一般家庭、小店舗（宅配利用者）には、容易に利用できないという問題点がある。
【００１０】
従来例３は、衝撃を一回検知すればその状態を保持するため、何回、衝撃が加わったか検知出来ないという問題点がある
【００１１】
本発明は、引例した従来例の各々が有する問題点を解決するための発明である。すなわち、本発明の課題は、再利用が可能で、少量運送サービス用に適し、衝撃を受けた回数を検知できる衝撃記憶表示センサを提供することにある。
【課題を解決するための手段】
【００１２】
本発明は、リードスイッチを加重弾性渦巻体と磁石の慣性力により駆動し衝撃回数を表示し確認後、リセットすることでリサイクル可能となる。すなわち、複数回の輸送又は運送において繰り返し使用が可能となる。また、専用輸送箱を必要としないため、汎用の輸送箱に付設することにより、一般家庭、小店舗（宅配利用者）でも、容易に利用が可能となる。
【００１３】
すなわち、本発明の衝撃記憶表示センサは、筐体又は枠体に固定されたリードスイッチの周囲に所定の加重によって弾性変形する弾性渦巻体と磁石とを配置し、前記弾性渦巻体の所定の加重と前記磁石の自重との組み合わせにより検知する外部衝撃の大きさを設定し、Ｘ，Ｙ，Ｚ軸の少なくとも一軸方向の外部衝撃によりリードスイッチを作動させて外部衝撃を検知し記憶して表示する衝撃記憶表示センサにおいて、前記外部衝撃の回数を記憶及び表示すると共に記憶された外部衝撃の回数を取り出す衝撃記憶表示手段を有し、かつ前記衝撃記憶表示手段はリセット機能を持つことを特徴とする。
【００１４】
前記衝撃記憶表示手段はＬＥＤの点灯及び消灯により衝撃回数を視認可能とすることができる。
【００１５】
前記衝撃記憶表示手段の電源として電池を用いることができる。
【発明の効果】
【００１６】
以上のように、本発明によれば、外部衝撃回数を記憶表示視認でき、リセットすることにより繰り返し使用が可能で、リサイクルの観点から環境に優しいという効果を有し、輸送箱一体でないため付設位置を限定せず自由に定めることが出来、宅配便等の輸送箱への適用も容易である。ところで、このリセット機能は、暗証番号照合等により依頼主等、特定の人以外は解除出来ない様にすることは、言うまでもない。また、本衝撃記憶表示センサは、電池を電源としており、電池は、輸送開始より衝撃記憶情報の確認までを動作させるのに充分な容量を有するものを選択することは言うまでもない。
【発明を実施するための最良の形態】
【００１７】
以下、本発明の実施の形態について図面を参照して説明する。
【００１８】
図１は、本実施の形態の輸送梱包箱の外観斜視図である。衝撃記憶表示センサ１９は輸送箱１７の表面に取り付けられ、輸送梱包箱１５が作製される。
【００１９】
図２は、本実施の形態の衝撃記憶表示センサを示す斜視図である。この図では、外装面の一部を除去して衝撃検知部を示した。
【００２０】
図２を参照して、本実施の形態の衝撃記憶表示センサ１９について説明する。衝撃検知部２３が衝撃を検知し、例えば、ＬＥＤ（発光ダイオード）２５の１個目を点灯表示する。再び、衝撃を検知すると、例えば２進数により１個目のＬＥＤ２５が消灯し２個目のＬＥＤ２５が点灯するように設定すれば、点灯ＬＥＤ２５の点灯状態で衝撃回数が視認できる。点灯したＬＥＤ２５は、例えば暗証番号による照合にて、リセットスイッチ２７によりＬＥＤ２５が全て消灯し再び、リサイクル可能となる。但し、リセット機能は、暗証番号照合等により依頼主等、特定の人以外は解除出来ない様にすることは、言うまでもない。また、衝撃回数を記憶しておき、本衝撃記憶表示センサに衝撃情報出力端子２１を付設すれば、他のシステムと組み合わせることにより衝撃回数の情報を取り出すことが出来る。
【００２１】
図３は、本実施の形態での衝撃検知部の断面図である。図３を参照し、衝撃検知部２３の動作を説明する。衝撃検知部２３は、筐体又は枠体に固定されたリードスイッチ３３の周囲に加重弾性渦巻体（所定の加重によって弾性変形する弾性渦巻体）３１と磁石２９を配置し外部からの衝撃で磁石２９の慣性力が発生し加重弾性渦巻体３１に磁石自重に比例する加重を加え磁石２９がリードスイッチ３３の閉じている接点から離れることにより接点を開く。ところで、図３では一軸の双方向からの衝撃に対して作動するリードスイッチについて説明したが、このようなリードスイッチを互いに直交させて、３個配置すれば、Ｘ，Ｙ，Ｚ方向それぞれの双方向からの衝撃に対して、その衝撃回数を表示かつ記憶する手段が得られる。
【００２２】
図４は、衝撃記憶表示センサ回路のブロックダイヤグラムである。図４を参照し衝撃記憶表示センサ回路の概要について説明する。衝撃記憶表示センサ回路３５は、電池からなる電源３７を有し衝撃検知部２３と衝撃記憶表示回路３９と衝撃情報出力端子２１により構成されている。なお、本衝撃記憶表示センサの電池は、輸送開始より衝撃記憶情報の確認までを動作させるのに充分な容量を有するものを選択することは言うまでもない。
【００２３】
また、感知させたい加速度設定（回数を記録する衝撃力のしきい値の設定）は、加重弾性渦巻体と磁石（主として自重）の組み合わせにより設定することが可能である。
【図面の簡単な説明】
【００２４】
【図１】本発明に係る輸送梱包箱を示す外観斜視図。
【図２】本発明の衝撃記憶表示センサを示す斜視図。
【図３】本発明に係る衝撃検知部の断面図。
【図４】本発明に係る衝撃記憶表示センサ回路のブロックダイヤグラム。
【図５】従来例１の衝撃振動表示器の輸送箱への取り付け状態を示す斜視図。
【図６】従来例１に係る衝撃振動表示器の概略図。
【符号の説明】
【００２５】
９    拡散体
１１    カプセル状振動子
１３    表示部
１５    輸送梱包箱
１７    輸送箱
１９    衝撃記憶表示センサ
２１    衝撃情報出力端子
２３    衝撃検知部
２５    ＬＥＤ
２７    リセットスイッチ
２９    磁石
３１    加重弾性渦巻体
３３    リードスイッチ
３５    衝撃記憶表示センサ回路
３７    電源
３９    衝撃記憶表示回路
５１    輸送梱包箱
５３    衝撃振動表示器
５５    輸送箱
【図１】
2007198770.tif 000003
【図２】
2007198770.tif 000004
【図３】
2007198770.tif 000005
【図４】
2007198770.tif 000006
【図５】
2007198770.tif 000007
【図６】
2007198770.tif 000008